(57)【要約】  無線システムのための閉ループ電力検出器／制御器が説明される。この閉ループ電力検出器／制御器は、非定値振幅包絡線変調方式を用いている。非定値振幅包絡線信号に由来する帰還信号中の全てのＡＭ成分が、包絡線信号のフィードフォワード相殺により除去される。一般的に、増幅する前の非定値振幅包絡線信号中のＡＭ変動を表す信号が得られる。次に、このＡＭ変動信号は、非定値振幅包絡線に由来する帰還信号中の全てのＡＭ成分を相殺するのに用いられ、所望の傾斜輪郭のみを有し、何らＡＭ変動を有しない、電力増幅器制御信号を生成する。
2005516465.tif 000002
【特許請求の範囲】
【請求項１】
非定値振幅包絡線を有する変調方式を用いた無線ハンドセットのための電力検出器／制御器であって、
非定値包絡線を有する入力信号を受信する入力端子と、増幅された入力信号を出力する出力端子とを有し、電力増幅器制御信号により出力電力か利得の何れか一方が制御される電力増幅器と、
前記電力増幅器の出力端子に結合され、前記増幅された入力信号の電力に比例し、前記非定値振幅包絡線によるＡＭ変動を含む帰還信号を生成する出力復調検波器と、
前記帰還信号と、前記電力増幅器の目標利得又は目標出力電力の何れか一方を示す傾斜制御信号と、前記非定値振幅包絡線による前記入力信号の前記電力中の前記ＡＭ変動を表すＡＭ変動信号とを受信する加算接合部とを備え、
該加算接合部が、前記帰還信号、前記傾斜制御信号及び前記ＡＭ変動信号を組み合わせて、前記電力増幅器制御信号が前記非定値包絡線による前記ＡＭ変動をほぼ有しないように前記電力増幅器制御信号を生成することを特徴とする電力検出器／制御器。
【請求項２】
非定値振幅包絡線を有する変調方式を用いた無線ハンドセットのための請求項１に記載の電力検出器／制御器であって、
前記電力増幅器の前記入力端子に結合され、前記加算接合部から受信した前記ＡＭ変動信号を生成する入力復調検波器を更に備えたことを特徴とする電力検出器／制御器。
【請求項３】
非定値振幅包絡線を有する変調方式を用いた無線ハンドセットのための請求項２に記載の電力検出器／制御器であって、前記入力復調検波器は、移相器を介して前記入力端子に結合されていることを特徴とする電力検出器／制御器。
【請求項４】
非定値振幅包絡線を有する変調方式を用いた無線ハンドセットのための請求項２に記載の電力検出器／制御器であって、
前記加算接合部が、
前記入力復調検波器に作用するように結合され、前記ＡＭ変動信号を受信し、該ＡＭ変動信号の振幅を調整する可変利得増幅器と、
負入力端子にて前記帰還信号を受信し、正入力端子にて前記傾斜制御信号を受信し、該負入力端子と出力端子との間に接続されたフィルタキャパシタを有し、前記帰還信号及び前記傾斜制御信号から誤差信号を生成する差動増幅器と、
前記可変利得増幅器から前記ＡＭ変動信号を受信し、前記誤差信号を受信し、受信した該ＡＭ変動信号と該誤差信号とを組み合わせて、前記非定値包絡線による前記ＡＭ変動をほぼ有しない前記電力増幅器制御信号を生成する加算接続点とを備えたことを特徴とする電力検出器／制御器。
【請求項５】
非定値振幅包絡線を有する変調方式を用いた無線ハンドセットのための請求項４に記載の電力検出器／制御器であって、前記可変利得増幅器は、前記ＡＭ変動信号中の全ての直流成分を取り除く交流結合キャパシタを介して前記入力復調検波器に作用するように結合されていることを特徴とする電力検出器／制御器。
【請求項６】
非定値振幅包絡線を有する変調方式を用いた無線ハンドセットのための請求項２に記載の電力検出器／制御器であって、
前記加算接合部が、
前記入力復調検波器に作用するように結合され、前記ＡＭ変動信号を受信し、該ＡＭ変動信号の振幅を調整する可変利得増幅器と、
前記可変利得増幅器からの前記ＡＭ変動信号に前記傾斜制御信号を乗算し、複合ＡＭ変動／傾斜制御信号を生成する乗算接続点と、
負入力端子にて前記帰還信号を受信し、正入力端子にて前記複合信号を受信し、該負入力端子と出力端子との間に接続されたフィルタキャパシタを有し、前記複合信号及び前記傾斜制御信号から、前記非定値包絡線による前記ＡＭ変動をほぼ有しない電力増幅器制御信号を生成する差動増幅器とを備えたことを特徴とする電力検出器／制御器。
【請求項７】
非定値振幅包絡線を有する変調方式を用いた無線ハンドセットのための請求項６に記載の電力検出器／制御器であって、前記可変利得増幅器は、前記ＡＭ変動信号中の全ての直流成分を取り除く交流結合コンデンサを介して前記入力復調検波器に作用するように結合されていることを特徴とする電力検出器／制御器。
【請求項８】
非定値振幅包絡線を有する変調方式を用いた無線ハンドセットのための請求項２に記載の電力検出器／制御器であって、
前記入力復調検波器及び前記出力復調検波器が対数検波器であって、
前記加算接合部が、
前記入力復調検波器と作用するように結合され、前記ＡＭ変動信号を前記傾斜制御信号に加算して、複合ＡＭ変動／傾斜制御信号を生成する加算接続点と、
負入力端子にて前記帰還信号を受信し、正入力端子にて前記複合信号を受信し、該負入力端子と出力端子との間に接続されたフィルタキャパシタを有し、前記複合信号及び前記傾斜制御信号から、前記非定値包絡線による前記ＡＭ変動をほぼ有しない電力増幅器制御信号を生成する差動増幅器とを備えたことを特徴とする電力検出器／制御器。
【請求項９】
非定値振幅包絡線を有する変調方式を用いた無線ハンドセットのための請求項８に記載の電力検出器／制御器であって、前記加算接続点は、前記ＡＭ変動信号中の全ての直流成分を取り除く交流結合コンデンサを介して前記入力復調検波器に作用するように結合されていることを特徴とする電力検出器／制御器。
【請求項１０】
非定値振幅包絡線を有する変調方式を用いた無線ハンドセットのための請求項２に記載の電力検出器／制御器であって、
前記入力復調検波器及び前記出力復調検波器が対数検波器であって、
前記加算接合部が、
前記帰還信号を濾波するローパスフィルタと、
負入力端子にて前記帰還信号を受信し、正入力端子にて前記傾斜制御信号を受信し、前記濾波された帰還信号及び前記傾斜制御信号から利得誤差信号を生成する差動増幅器と、
前記ＡＭ変動信号と、前記出力変調検波器からの前記帰還信号と、前記利得誤差信号とを組み合わせて、前記非定値包絡線による前記ＡＭ変動をほぼ有しない組み合わせ信号を生成する加算接続点と、
該組み合わせ信号を受信し、前記複合信号及び前記傾斜制御信号から、前記非定値包絡線による前記ＡＭ変動をほぼ有しない前記電力増幅器制御信号を生成する誤差増幅器／制御器とを備えたことを特徴とする電力検出器／制御器。
【請求項１１】
非定値振幅包絡線を有する変調方式を用いた無線ハンドセットのための請求項１に記載の電力検出器／制御器であって、前記無線ハンドセットは一定値振幅包絡線を有する変調方式も使用することを特徴とする電力検出器／制御器。
【請求項１２】
非定値振幅包絡線を有する変調方式を用いた移動通信システムのための無線ハンドセットであって、
出力ＲＦバーストの電力レベルを制御する電力検出器／制御器を有し、
該電力検出器／制御器は、
非定値振幅包絡線を有する入力信号を受信する入力端子と、増幅された入力信号を出力する出力端子とを有し、電力増幅器制御信号により出力電力か利得の何れか一方が制御される電力増幅器と、
該電力増幅器の前記出力端子に結合され、前記増幅された入力信号の電力に比例し、前記非定値振幅包絡線によるＡＭ変動を含む帰還信号を生成する出力復調検波器と、
前記帰還信号と、前記電力増幅器の目標利得又は目標出力電力の何れか一方を示す傾斜制御信号と、前記非定値振幅包絡線による前記入力信号の前記電力中の前記ＡＭ変動を表すＡＭ変動信号とを受信する加算接合部とを備え、
該加算接合部が、前記帰還信号、前記傾斜制御信号及び前記ＡＭ変動信号を組み合わせて、前記電力増幅器制御信号が前記非定値包絡線による前記ＡＭ変動をほぼ有しないように前記電力増幅器制御信号を生成することを特徴とする無線ハンドセット。
【請求項１３】
非定値振幅包絡線を有する変調方式を用いた移動通信システムのための請求項１２に記載の無線ハンドセットであって、
前記電力増幅器の前記入力端子に結合され、前記加算接合部から受信した前記ＡＭ変動信号を生成する入力復調検波器を更に備えたことを特徴とする無線ハンドセット。
【請求項１４】
非定値振幅包絡線を有する変調方式を用いた移動通信システムのための請求項１３に記載の無線ハンドセットであって、前記入力復調検波器は、移相器を介して前記入力端子に結合されていることを特徴とする無線ハンドセット。
【請求項１５】
非定値振幅包絡線を有する変調方式を用いた移動通信システムのための請求項１３に記載の無線ハンドセットであって、
前記加算接合部が、
前記入力復調検波器に作用するように結合され、前記ＡＭ変動信号を受信し、該ＡＭ変動信号の振幅を調整する可変利得増幅器と、
負入力端子にて前記帰還信号を受信し、正入力端子にて前記傾斜制御信号を受信し、該負入力端子と出力端子との間に接続されたフィルタキャパシタを有し、前記帰還信号及び前記傾斜制御信号から誤差信号を生成する差動増幅器と、
前記可変利得増幅器から前記ＡＭ変動信号を受信し、前記誤差信号を受信し、受信した該ＡＭ変動信号と該誤差信号とを組み合わせて、前記非定値包絡線による前記ＡＭ変動をほぼ有しない前記電力増幅器制御信号を生成する加算接続点とを備えたことを特徴とする無線ハンドセット。
【請求項１６】
非定値振幅包絡線を有する変調方式を用いた移動通信システムのための請求項１５に記載の無線ハンドセットであって、前記可変利得増幅器は、前記ＡＭ変動信号中の全ての直流成分を取り除く交流結合コンデンサを介して前記入力復調検波器に作用するように結合されていることを特徴とする電力検出器／制御器。
【請求項１７】
非定値振幅包絡線を有する変調方式を用いた移動通信システムのための請求項１３に記載の無線ハンドセットであって、
前記加算接合部が、
前記入力復調検波器に作用するように結合され、前記ＡＭ変動信号を受信して、該ＡＭ変動信号の振幅を調整する可変利得増幅器と、
前記可変利得増幅器からの前記ＡＭ変動信号に前記傾斜制御信号を乗算し、複合ＡＭ変動／傾斜制御信号を生成する乗算接続点と、
負入力端子にて前記帰還信号を受信し、正入力端子にて前記複合信号を受信し、該負入力端子と出力端子との間に接続されたフィルタキャパシタを有し、前記複合信号及び前記傾斜制御信号から、前記非定値包絡線による前記ＡＭ変動をほぼ有しない電力増幅器制御信号を生成する差動増幅器とを備えたことを特徴とする無線ハンドセット。
【請求項１８】
非定値振幅包絡線を有する変調方式を用いた移動通信システムのための請求項１７に記載の無線ハンドセットであって、前記可変利得増幅器は、前記ＡＭ変動信号中の全ての直流成分を取り除く交流結合コンデンサを介して前記入力復調検波器に作用するように結合されていることを特徴とする無線ハンドセット。
【請求項１９】
非定値振幅包絡線を有する変調方式を用いた移動通信システムのための請求項１３に記載の無線ハンドセットであって、
前記入力復調検波器及び前記出力復調検波器が対数検波器であって、
前記加算接合部が、
前記入力復調検波器と作用するように結合され、前記ＡＭ変動信号を前記傾斜制御信号に加算して、複合ＡＭ変動／傾斜制御信号を生成する加算接続点と、
負入力端子にて前記帰還信号を受信し、正入力端子にて前記複合信号を受信し、該負入力端子と出力端子との間に接続されたフィルタキャパシタを有し、前記複合信号及び前記傾斜制御信号から、前記非定値包絡線による前記ＡＭ変動をほぼ有しない電力増幅器制御信号を生成する差動増幅器とを備えたことを特徴とする無線ハンドセット。
【請求項２０】
非定値振幅包絡線を有する変調方式を用いた移動通信システムのための請求項１９に記載の無線ハンドセットであって、前記加算接続点は、前記ＡＭ変動信号中の全ての直流成分を取り除く交流結合コンデンサを介して前記入力復調検波器に作用するように結合されていることを特徴とする無線ハンドセット。
【請求項２１】
非定値振幅包絡線を有する変調方式を用いた移動通信システムのための請求項１３に記載の無線ハンドセットであって、
前記入力復調検波器及び前記出力復調検波器が対数検波器であって、
前記加算接合部が、
前記帰還信号を濾波するローパスフィルタと、
負入力端子にて前記帰還信号を受信し、正入力端子にて前記傾斜制御信号を受信し、前記濾波された帰還信号及び前記傾斜制御信号から利得誤差信号を生成する差動増幅器と、
前記ＡＭ変動信号と、前記出力変調検波器からの前記帰還信号と、前記利得誤差信号とを組み合わせて、前記非定値包絡線による前記ＡＭ変動をほぼ有しない組み合わせ信号を生成する加算接続点と、
該組み合わせ信号を受信して、前記複合信号及び前記傾斜制御信号から、前記非定値包絡線による前記ＡＭ変動をほぼ有しない前記電力増幅器制御信号を生成する誤差増幅器／制御器とを備えたことを特徴とする無線ハンドセット。
【請求項２２】
非定値振幅包絡線を有する変調方式を用いた移動通信システムのための請求項１２に記載の無線ハンドセットであって、一定値振幅包絡線を有する変調方式も使用することを特徴とする無線ハンドセット。
【請求項２３】
非定値振幅包絡線を有する変調方式を用いた信号のためのＲＦ電力増幅器モジュールであって、
非定値振幅包絡線を有する入力信号を受信する入力端子と、増幅された入力信号を出力する出力端子とを有し、電力増幅器制御信号により出力電力か利得の何れか一方が制御される電力増幅器と、
該電力増幅器の前記出力端子に結合され、前記増幅された入力信号の電力に比例し、前記非定値振幅包絡線によるＡＭ変動を含む帰還信号を生成する出力復調検波器と、
前記帰還信号と、前記電力増幅器の目標利得又は目標出力電力の何れか一方を示す傾斜制御信号と、前記非定値振幅包絡線による前記入力信号の前記電力中の前記ＡＭ変動を表すＡＭ変動信号とを受信する加算接合部とを備え、
該加算接合部が、前記帰還信号、前記傾斜制御信号及び前記ＡＭ変動信号を組み合わせて、前記電力増幅器制御信号が前記非定値包絡線による前記ＡＭ変動をほぼ有しないように前記電力増幅器制御信号を生成することを特徴とするＲＦ電力増幅器モジュール。
【請求項２４】
非定値振幅包絡線を有する変調方式を用いた信号のための請求項２３に記載のＲＦ電力増幅器モジュールであって、
前記電力増幅器の前記入力端子に結合され、前記加算接合部から受信した前記ＡＭ変動信号を生成する入力復調検波器を更に備えたことを特徴とするＲＦ電力増幅器モジュール。
【請求項２５】
非定値振幅包絡線を有する変調方式を用いた信号のための請求項２４に記載のＲＦ電力増幅器モジュールであって、前記入力復調検波器は、移相器を介して前記入力端子に結合されていることを特徴とするＲＦ電力増幅器モジュール。
【請求項２６】
非定値振幅包絡線を有する変調方式を用いた信号のための請求項２４に記載のＲＦ電力増幅器モジュールであって、
前記加算接合部が、
前記入力復調検波器に作用するように結合され、前記ＡＭ変動信号を受信し、該ＡＭ変動信号の振幅を調整する可変利得増幅器と、
負入力端子にて前記帰還信号を受信し、正入力端子にて前記傾斜制御信号を受信し、該負入力端子と出力端子との間に接続されたフィルタキャパシタを有し、前記帰還信号及び前記傾斜制御信号から誤差信号を生成する差動増幅器と、
前記可変利得増幅器から前記ＡＭ変動信号を受信し、前記誤差信号を受信し、受信した該ＡＭ変動信号と該誤差信号とを組み合わせて、前記非定値包絡線による前記ＡＭ変動をほぼ有しない前記電力増幅器制御信号を生成する加算接続点とを備えたことを特徴とするＲＦ電力増幅器モジュール。
【請求項２７】
非定値振幅包絡線を有する変調方式を用いた信号のための請求項２６に記載のＲＦ電力増幅器モジュールであって、前記可変利得増幅器は、前記ＡＭ変動信号中の全ての直流成分を取り除く交流結合コンデンサを介して前記入力復調検波器に作用するように結合されていることを特徴とするＲＦ電力増幅器モジュール。
【請求項２８】
非定値振幅包絡線を有する変調方式を用いた信号のための請求項２４に記載のＲＦ電力増幅器モジュールであって、
前記加算接合部が、
前記入力復調検波器に作用するように結合され、前記ＡＭ変動信号を受信して、該ＡＭ変動信号の振幅を調整する可変利得増幅器と、
前記可変利得増幅器からの前記ＡＭ変動信号に前記傾斜制御信号を乗算し、複合ＡＭ変動／傾斜制御信号を生成する乗算接続点と、
負入力端子にて前記帰還信号を受信し、正入力端子にて前記複合信号を受信し、該負入力端子と出力端子との間に接続されたフィルタキャパシタを有し、前記複合信号及び前記傾斜制御信号から、前記非定値包絡線による前記ＡＭ変動をほぼ有しない電力増幅器制御信号を生成する差動増幅器とを備えたことを特徴とするＲＦ電力増幅器モジュール。
【請求項２９】
非定値振幅包絡線を有する変調方式を用いた信号のための請求項２１に記載のＲＦ電力増幅器モジュールであって、前記可変利得増幅器は、前記ＡＭ変動信号中の全ての直流成分を取り除く交流結合コンデンサを介して前記入力復調検波器に作用するように結合されていることを特徴とするＲＦ電力増幅器モジュール。
【請求項３０】
非定値振幅包絡線を有する変調方式を用いた信号のための請求項２４に記載のＲＦ電力増幅器モジュールであって、
前記入力復調検波器及び前記出力復調検波器が対数検波器であって、
前記加算接合部が、
前記入力復調検波器と作用するように結合され、前記ＡＭ変動信号を前記傾斜制御信号に加算して、複合ＡＭ変動／傾斜制御信号を生成する加算接続点と、
負入力端子にて前記帰還信号を受信し、正入力端子にて前記複合信号を受信し、該負入力端子と出力端子との間に接続されたフィルタキャパシタを有し、前記複合信号及び前記傾斜制御信号から、前記非定値包絡線による前記ＡＭ変動をほぼ有しない電力増幅器制御信号を生成する差動増幅器とを備えたことを特徴とするＲＦ電力増幅器モジュール。
【請求項３１】
非定値振幅包絡線を有する変調方式を用いた信号のための請求項１９に記載のＲＦ電力増幅器モジュールであって、前記加算接続点は、前記ＡＭ変動信号中の全ての直流成分を取り除く交流結合コンデンサを介して前記入力復調検波器に作用するように結合されていることを特徴とするＲＦ電力増幅器モジュール。
【請求項３２】
非定値振幅包絡線を有する変調方式を用いた信号のための請求項２４に記載のＲＦ電力増幅器モジュールであって、
前記入力復調検波器及び前記出力復調検波器が対数検波器であって、
前記加算接合部が、
前記帰還信号を濾波するローパスフィルタと、
負入力端子にて前記帰還信号を受信し、正入力端子にて前記傾斜制御信号を受信し、前記濾波された帰還信号及び前記傾斜制御信号から利得誤差信号を生成する差動増幅器と、
前記ＡＭ変動信号と、前記出力変調検波器からの前記帰還信号と、前記利得誤差信号とを組み合わせて、前記非定値包絡線による前記ＡＭ変動をほぼ有しない組み合わせ信号を生成する加算接続点と、
該組み合わせ信号を受信して、前記複合信号及び前記傾斜制御信号から、前記非定値包絡線による前記ＡＭ変動をほぼ有しない前記電力増幅器制御信号を生成する誤差増幅器／制御器とを備えたことを特徴とするＲＦ電力増幅器モジュール。
【請求項３３】
非定値振幅包絡線を有する変調方式を用いた信号のための請求項２３に記載のＲＦ電力増幅器モジュールであって、一定値振幅包絡線を有する変調方式も使用することを特徴とするＲＦ電力増幅器モジュール。
【発明の詳細な説明】
【技術分野】
【０００１】
本発明は、ＲＦ電力検出器及び制御器の分野に係り、特に、無線で用いる携帯用ハンドセット端末に用いられるＲＦ電力検出器及び制御器に関する。
【背景技術】
【０００２】
本出願は、２００２年１月２３日に出願された米国特許出願第１０／０５５，５７７号からの優先権を主張する。この米国特許出願は、参照により、全体として本明細書に組み込まれる。
【０００３】
新しい２．５及び３Ｇの無線システムのロールアウトは、携帯用ハンドセットの設計者達に特有の難問となっている。拡張した容量とデータの帯域幅を十分に利用するためには、新しいハンドセットは、新旧両システムで動作しなければならない。これらの新システムの一つにいわゆる広域進化型高速データ伝送（ＥＤＧＥ）がある。ＥＤＧＥ規格は広域自動車通信システム（ＧＳＭ）規格を拡張したものである。
【０００４】
ＥＤＧＥでは、ＲＦバーストあたりの送信ビットを増やすことにより、ＧＳＭで利用できる以上にデータ速度を増大している。ＥＤＧＥでは、８位相変調（８−ＰＳＫ）に基づいた変調方式を用いることにより、より多くのビットを送信する。８−ＰＳＫは、ＧＳＭのガウス型最小シフトキーイング（ＧＭＳＫ）変調方式を超えて増加させる。ＥＤＧＥ変調方式においては、８−ＰＳＫ配置は、ゼロクロスに伴う問題を回避するために、記号期間毎に３π／８ラジアンだけ回転される。ＧＭＳＫの一定振幅の包絡線と異なり、ＥＤＧＥ変調方式において追加された回転因子は、非定値振幅の包絡線をもたらす。この非定値振幅の包絡線は、ＲＦ電力制御に関していくつかの難題をもたらす。これらの問題は、ＧＳＭ規格とＥＤＧＥ規格の双方に対して使用できる一つの送信機を持ちたいという要望により大きな問題となる。
【０００５】
図１は、ＧＳＭ方式用の従来の電力検波制御システム１００を示す。ＧＳＭ一定値包絡線信号が入力され、電力増幅器（ＰＡ）１０２で増幅される。電力増幅器１０２によって出力される信号は、方向性結合器１０８により、復調検波器１０４の何らかの形式に結合される。復調検波器１０４は、代表的には対数増幅器（ログアンプ）であり、出力信号の電力を電圧に変換する。図２は、ＧＳＭ信号２０２を入力端子に印加したときの復調ログアンプ１０４の出力２００を示す。図２に示すように、ＧＳＭ信号は一定値振幅包絡線を有するので、ログアンプ１０４から出力される電圧２００は直流電圧である。このログアンプ１０４の直流出力は、次に、高利得周波数制限差動増幅器１０６を用いて、傾斜制御信号と比較される。この比較に基づいて、差動増幅器１０６は誤差信号を出力し、この出力はフィルタキャパシタ１０７によって濾波され（増幅器１０２は積分器として構成されている）、電力増幅器１０２の電力出力を制御するのに用いられるＰＡ傾斜電圧を生成する。このことは、傾斜制御信号により規定されるレベルに出力電力を設定する閉ループシステムを生成する。このシステムは、ｄＢ／Ｖで表される電力制御傾斜と、ｄＢｍで表される０Ｖ交差点とにより規定される。この閉ループシステムの周波数応答は、適当な立ち上がり時間を提供するのに十分なだけ高速でなければならず、またリンギングあるいは不安定となることを避けるのに十分なだけ低速でなければならない。
【０００６】
非定値振幅包絡線を有するＥＤＧＥ信号がＧＳＭ制御ループ１００に印加されたときに幾つかの特有な問題が生じる。ＥＤＧＥシステムの規格では、電力増幅器１０２が、ＧＳＭに対するのと同じ速度（２８ｕＳ）で立ち上がり立ち下がることが必要である。かくして、このループは３５ｋＨｚより高速な応答を有しなければならない。しかし、ＧＳＭ信号とは異なり、ＥＤＧＥ信号は、非定値振幅包絡線から生じるＡＭ成分を含有する。対数増幅器１０４はこの変調を検波し、対応して出力直流電圧を変化させる。このことを図３に示す。図３は、ＥＤＧＥ信号３０２が入力端子に印加されたときの復調ログアンプ１０４の出力３００を示している。図３に示すように、復調ログアンプ１０４から出力される電圧３００は、一定直流電圧成分に加えて、非定値振幅包絡線により生じる電圧脈動成分を有する。この結果の電圧脈動は、振幅に２０ｄＢの変動を生じる。直流電圧はＡＭ成分に応じて変動するので、閉ループシステムの負帰還が作用し、ＥＤＧＥ信号中のＡＭ情報を除去する。
【０００７】
この問題を解決するための幾つかの方法が提案されている。第１に、２つの異なるフィルタを使用できる。第１のフィルタは、信号の電力の立ち上がり部分に対して用いられ、第２の低速のフィルタは、ＡＭ変調が始まるときにそれに切り替えられる。この解決では、フィルタは、平均と安定を生じるために幾分かの時間が必要であるため、なお、幾らかのＡＭ変動が生じ、ループ中に漏れ出してしまう。もう一つの方法は、第２のフィルタを取り除き、単純に直流電圧をＡＭ変調の間一定に保つものである。この追跡し保持する機能は、安定化時間についての同じ問題を有さず、ＡＭ脈動は少しもループ中に漏れ出さない。しかし、このシステムは、保持機能が実行されている間は、普通開ループで動作する。したがって、ＲＦバーストの間ＰＡ出力電力に対して、外部の影響（電池の揺らぎ、温度等）を補償するための何の補正もなすことができない。データの有限の性質は別の問題である。フレーム当たり１０２シンボルのデータのみ送信される。この小さなサンプルサイズは、フレーム当たりの相転移の数と型が変動し、それにより信号のピーク対平均値比が変化し、結果的にフレーム当たりの平均電力が変化する可能性があることを意味する。開ループシステムでは、これらの変動を調整することはできない。
【０００８】
（発明の開示）
本発明は、非定値振幅包絡線を有する変調方式の信号のための電力検出器／制御器を提供する。この電力検出器／制御器は、電力増幅器と、出力復調検波器と、加算接合部とを有する。電力増幅器は、非定値振幅包絡線を有する入力信号を受信する入力端子と、増幅された入力信号を出力するための出力端子とを有する。電力増幅器制御信号が電力増幅器の出力電力又は利得の何れか一方を制御する。出力復調検波器は、電力増幅器の出力端子に結合され、増幅された入力信号の電力に比例した帰還信号を生成する。この帰還信号は、非定値振幅包絡線によるＡＭ変動を含む。加算接合部は、帰還信号と、電力増幅器の目標利得又は目標出力電力の何れか一方を示す傾斜制御信号と、入力信号電力中の非定値振幅包絡線に起因するＡＭ変動を表すＡＭ変動信号とを受ける。加算接合部は、これらの帰還信号、傾斜制御信号およびＡＭ変動信号を結合し、非定値包絡線によるＡＭ変動をほぼ有しない電力増幅器制御信号であるような電力増幅器制御信号を生成する。
【発明を実施するための最良の形態】
【０００９】
本発明は、非定値振幅包絡線変調方式を採用した無線システムのための閉ループ電力検出器／制御器を提供する。閉ループ帰還信号中の全てのＡＭ成分は、包絡線信号のフィードフォワード相殺により除去される。一般に、増幅前の非定値振幅包絡線信号中のＡＭ変動を表す信号が得られる。このＡＭ変動信号は、次に、非定値包絡線に由来する帰還信号中の全てのＡＭ成分を相殺し、ＡＭ成分を有さず、所望の傾斜輪郭のみを有するＰＡ制御信号を生成するために用いられる。
【００１０】
出力電力の設定に加えて、この制御回路は、電力増幅器の直線性も向上させる。電力増幅器中の非直線性により多少の振幅歪みが存在する可能性がある。入力ＡＭ成分と出力ＡＭ成分との差が振幅歪みとして知られている。非定値包絡線による帰還信号中のＡＭ成分はフィードフォワードにより相殺されるとは言え、この振幅歪みは相殺されず、したがって、電力増幅器での負帰還として導入されてしまう。したがって、電力増幅器に対する補正信号は振幅歪みに応答し、その結果電力増幅器の直線性をある程度改善する。この検波器の副次的利点は、有極ループ帰還システムで一般的な利点により、別の飽和した、あるいは非線形増幅器から極めて直線的な増幅器を生成するのに更に利用される。しかし、この残留するＡＭ脈動が直線化のために更に利用されることが無いとしても、その存在が閉ループ電力電力制御の動作に干渉することは無い。
【００１１】
本発明による電力検出器／制御器４００が、概念的に図４中に示される。図４に示すように、電力増幅器４０２は入力ＲＦ信号を増幅する。電力増幅器４０２は、利得制御された電力増幅器か、電力制御された電力増幅器の何れか一方である。電力増幅器４０２が電力制御された電力増幅器である場合には、その出力電力が制御信号Ｖapcにより制御される。電力増幅器４０２が利得制御された電力増幅器である場合には、その利得が制御信号Ｖapcにより制御される。
【００１２】
出力結合器４０８は、出力ＲＦ信号の一部を出力復調検波器４０４に結合する。復調検波器４０４は、結合された出力ＲＦ信号をＲＦ出力信号の電力に比例する帰還信号に変換する。この帰還信号は、加算接合部４０５に出力される。
【００１３】
加算接合部４０５は、更に傾斜制御信号を受信する。傾斜制御信号は、電力増幅器４０２が電力制御を受けるものかあるいは利得制御を受けるものであるかによって、電力増幅器４０２の目標利得又は電力増幅器４０２の目標出力電力の何れか一方に比例する。検波器がどのように構成されるかによって、全ての電力増幅器が利得制御又は電力制御の対象となることができる。
【００１４】
帰還信号及び傾斜制御信号に加えて、加算接合部４０５は、非定値包絡線に由来する入力信号電力中のＡＭ変動を表すＡＭ変動信号を受信する。電力増幅器４０２の出力端での検波された信号上に存在する全ての包絡線変動が電力増幅器４０２の入力信号上にも存在する。したがって、入力信号電力中からＡＭ変動を取得することにより、出力端から得た帰還信号からＡＭ変動を相殺することが可能である。
【００１５】
入力信号電力のＡＭ変動を得るために、入力復調検波器４１４が使用される。入力復調検波器４１４と出力復調検波器４０４とは平衡検波器である。これらは、対数検波器又は線型検波器でありうる。入力復調検波器４１８は、移相器４１６を介して結合器４１８から入力ＲＦ信号の一部を受信する。移相器４１６は、結合された入力信号に遅延を付加して、入力信号のＡＭ変動を出力信号のＡＭ変動に揃え、ＡＭ変動が確実に相殺されるようにする。入力復調検波器４１４は、この遅延され結合された入力信号を受信し、入力ＲＦ信号の電力に比例する信号に変換する。復調検波器４１４はこのＡＭ変動信号を加算接合部４０５に出力する。
【００１６】
入力復調検波器４１４をＡＭ変動を取得するのに用いる別の方法として、ベースバンド処理装置から直接ＡＭ変動信号を得る方法がある。
【００１７】
制御ループの型式（例えば、電力制御又は利得制御）により必要な場合には、加算接合部４０５においてＡＭ変動信号の調整がなされる。加算接合部４０５中の調整回路は、利得が制御されるか又は電力が制御されるかに応じて、ＡＭ変動信号から直流成分を除去する。電力制御が望まれる場合には、直流成分が除去され、電力制御ループを実現する。利得制御が望まれる場合には、直流成分は除去されない。以下に更に説明するように、電力制御は、直流成分を除去せずに実現することもできることに注意すべきである。直流成分を除去するために、復調検波器４１４の出力は、交流結合されるか高域濾波される。
【００１８】
また、相殺を確実に行なうために必要な場合には、ＡＭ変動信号の調整を加算接合部４０５で行なう。例えば、相殺を確実に行なうために必要な場合には、調整回路は、復調検波器４１４の出力中のＡＭ変動の振幅を調整する。平衡復調検波器４０４及び４１４が対数増幅器である場合には、両復調検波器から出力されるＡＭ変動の振幅は、電力増幅器の利得とは無関係に、ほぼ等しい。この場合、この振幅は調整の必要はない。しかし、復調検波器４０４及び４１４が線型検波器である場合には、両者の振幅はほぼ等しくはなく、復調検波器４１４により出力される信号中のＡＭ変動の振幅は、振幅相殺を確実にするために調整する必要がある。
【００１９】
全ての必要な調整が行なわれた後に、調整されたＡＭ変動信号、傾斜制御信号及び帰還信号は、次に、入力信号のＡＭ成分に由来する信号中の全てのＡＭ変動を相殺するために、加算接合部４０５で結合され、誤差信号を生成する。誤差信号は濾波されてＰＡ制御信号Ｖapcを生成する。このＰＡ制御信号Ｖａｐｃは電力増幅器４０２の出力を制御するのに用いられる。実際には、ＡＭ変動信号と、相殺のための帰還信号中のＡＭ変動との間で位相と振幅が完全に適合することを達成することは困難であることに注意すべきである。しかし、厳密に適合することは必要ではなく、−１０ｄＢのオーダでの相殺で十分である。
【００２０】
Ｖapcが直流電圧として示されたとしても、このことはＡＭ変動が除去されたことを示すための例証であることも注意すべきである。実際の濾波の結果として、傾斜した輪郭が実際には帰結される場合が多い。傾斜した輪郭は、代表的には、立ち上がった余弦の形  を取る。
【００２１】
本発明に係る電力検出器／制御器は、ＥＤＧＥにおける非定値包絡線信号等の非定値包絡線信号ばかりでなく、ＧＳＭにおける一定値包絡線信号等の一定値包絡線信号もまたサポートすることが好都合である。したがって、本発明に係る単一の電力検出器／制御器のみで、ＧＳＭシステムとＥＤＧＥシステムの双方で動作するように設計された無線ハンドセット中で用いられる必要がある。
【００２２】
図５は、本発明に係る電力検出器／制御器５００の一実施形態を示す。本実施形態において、加算接合部は、差動増幅器５０６、加算接続点５１０、フィルタキャパシタ５０７、交流結合コンデンサ（不図示）及び可変利得増幅器（ＶＧＡ）５１２を備えている。この実施の形態において、復調検波器５１４及び５０４は線型検波器である。
【００２３】
電力増幅器５０２の入力と出力とは、それぞれ平衡復調検波器５１４及び５０４に結合されている。方向性結合器５１８は、移相器５１６を介して、入力対入力復調検波器５１４に結合されている。移相器５１６は、入力信号に遅延を付加して、入力から決定されるＡＭ変動を出力信号と出力から決定される帰還信号とが揃うように、入力信号と出力信号とを揃える。方向性結合器５０８が、出力対出力復調検波器５０４を結合する。
【００２４】
復調検波器５１４は、入力信号の電力を、入力信号が非定値振幅包絡線を有するときに帰結される全ての電圧脈動を有する電圧に変換する。図示はしないが、入力検波器５１４の出力は、電圧から直流成分を取り除く交流結合コンデンサを用いてＶＧＡ５１２に交流結合されている。この構成において、この回路は電力制御を行なう。しかし、万一、検波器５１４からの信号の最初の増幅されていない直流成分がＶＧＡ５１２から出力される信号中に保持されている場合には、この回路は利得制御を行なうであろう。ＶＧＡ５１２は、傾斜制御信号に応じて脈動電圧の振幅を調整し、振幅相殺を確実にする。ＶＧＡ５１２は、調整したＡＭ変動信号を加算接続点５１０に出力する。
【００２５】
同様にして、出力復調検波器５０４は、出力信号の電力を、やはり入力信号が非定値振幅包絡線を有するときに帰結される全ての電圧脈動を有する電圧に変換する。この帰還電圧は差動増幅器５０６の負入力端子に入力され、一方傾斜制御信号は正入力端子に入力される。差動増幅器５０６は、電力増幅器５０２を制御するための誤差信号を出力する。しかし、この誤差信号には、なお、ＡＭ成分による電圧脈動が含まれている。
【００２６】
ＶＧＡ５１２からのＡＭ変動信号は、加算接続点５１０で差動増幅器５０６からの誤差信号に加えられ、誤差信号からの電圧脈動を除去する。フィルタキャパシタ５０７は、加算接続点５１０の出力を濾波し、これにより、電力増幅器５０２の利得を制御する傾斜輪郭を有する制御信号Ｖapcを生じる。
【００２７】
図６は、本発明に係る電力検出器／制御器６００の別の実施の形態を示す。この実施の形態において、加算接合部は、差動増幅器６０６、乗算接続点６１０、フィルタキャパシタ６０７及び適当な調整回路（図示せず）を備えている。この実施の形態において、復調検波器６０４および６１４は線型検波器である。この実施の形態の動作は本質的に図５の動作と同じであるが、ＡＭ変動の除去に違いがある。
【００２８】
図に示すように、方向性結合器６１８は、入力信号を、移相器６１６を介して復調検波器６１４に結合する。移相器６１６は、図５の実施の形態と同様に、入力信号を遅延して出力信号に揃える。入力復調検波器６１４は、入力信号の電力を、入力信号が非定値振幅包絡線を有するときに帰結される全ての電圧脈動を有する電圧に変換する。図示はしないが、図５の実施の形態と同様に、適当な回路が入力復調検波器６１４の後の全ての直流成分を除去し、脈動電圧の振幅が確実に相殺されるように調整される。それにより生じる信号は次に乗算接続点６１０で傾斜制御電圧と結合され、複合傾斜制御／ＡＭ変動信号が生成される。この複合信号は、差動増幅器６０６の正の入力端子に提供される。
【００２９】
方向性結合器６０８は、電力増幅器６０２の出力を復調検波器６０４に結合する。出力復調検波器６０４は、出力信号の電力を、入力信号が非定値振幅包絡線を有するときに生じる全ての電圧脈動を含む電圧に変換する。この信号は差動増幅器６０６の負の入力端子に印加される。
【００３０】
差動増幅器６０６は、出力検波器６０４から出力された電力信号を複合傾斜制御／ＡＭ変動信号から減算することによりＰＡ制御信号Ｖapcを生成し、ＡＭ変動の無い誤差信号を生成する。差動増幅器６０６はフィルタキャパシタ６０７を用いた積分器として設定され、誤差信号を濾波して、傾斜輪郭を生成する。この傾斜輪郭はＰＡ制御Ｖapcとして印加される。
【００３１】
図７は、本発明に係る電力検出器／制御器７００の別の実施の形態を示す。この実施の形態において、加算接合部は、差動増幅器７０６、加算接続点７１０、フィルタキャパシタ７０７及び交流結合コンデンサ７２０を備えている。この実施の形態において、復調検波器７１４及び７０４は対数増幅器である。
【００３２】
上述したのと同じ方法により、３０ｄＢ方向性結合器７１８は、入力信号を、移相器７１６を介してログアンプ７１４に結合する。移相器７１６は、入力信号を出力信号に揃えるように遅延する。入力ログアンプ７１４は、入力信号が非定値振幅包絡線を有するときに生じる全ての電圧脈動を含む電圧に入力信号の電力を変換する。入力ログアンプ７１４の出力は、コンデンサ７２０を介して交流結合され、その直流成分が取り除かれる。この信号は、次に、加算接続点７１０で傾斜制御信号ＶSETに加算され、複合傾斜制御／ＡＭ変動信号を生成する。この複合信号は、次に差動増幅器７０６の正の入力端子に印加される。差動増幅器７０６は差動積分器として構成されている。
【００３３】
３０ｄＢ方向性結合器７０８は、その出力を３０ｄＢ減衰器７２２に結合する。３０ｄＢ減衰器７２２は、出力信号を減衰して、減衰した出力信号を出力ログアンプ７０４に供給する。必ずしも必要ではないが、平衡対数復調検波器を用いる場合には、復調検波器７１６及び７２２へ入力される信号の振幅の大きさを等しくするように減衰器７２２を用いると好都合である。したがって、例えば、電力増幅器７０２の最大出力電力が３０ｄＢである場合には、減衰器７２２として３０ｄＢの減衰器を用いて、入力の大きさを等しくする。勿論、他の設定点を用いることもでき、理想的には、減衰器７２２は、方向性結合器７０８からの信号の電力を、電力増幅器７０２が出力しているのと同じ量だけ正確に減衰させるとよい。
【００３４】
出力ログアンプ７０４は、出力信号の電力を、入力信号が非定値振幅包絡線を有しているときに生じる全ての電圧脈動を有する電圧に変換する。この信号は、差動増幅器７０６の負の入力端子に印加される。次に、差動増幅器７０６は、複合信号とログアンプ７０４の出力とを比較する。これらの信号における全ての差は、電力増幅器のＶapc入力端子に印加されている補正信号Ｖapcを生じる。
【００３５】
図８ａは、図７に示す実施の形態の、アナログ素子からのＡＤ８３１５ログ増幅器／制御器を用いた実施例を示す。図８ｂに示すように、ＡＤ８３１５ログ増幅器／制御器８０４は対数増幅器ＲＦ検波サブシステムと誤差増幅器／積分器部８０５とを含んでいる。したがって、ＡＤ８３１５は、出力ログアンプ７０４と増幅器／積分器７０６とを実施するのに用いられる。図８ａに示すように、傾斜制御信号ＶSETと、入力ログアンプ８１４からの交流結合信号との和が、ＡＤ８３１５のＶSET入力端子に印加される。ＡＤ８３１５の出力（Ｖapc）は電力増幅器のＶapc入力を駆動する。
【００３６】
図７の実施の形態は、アナログ素子からのＡＤ８３０２利得位相検波器を用いても実施できる。ＡＤ８３０２は、２個のログアンプと、加算接続点とを有する。図９は、図７の実施の形態の、ＡＤ８３０２を用いた実施例を示す。電力増幅器９０２への入力信号と、電力増幅器９０２からの出力信号とが、それぞれ、３０ｄＢ方向性結合器９１８及び９０８を用いてサンプリングされる。結合された入力信号は、移相器９１６により遅延され、電力増幅器９０２の入力中のＡＭ変動を電力増幅器９０２の出力中のＡＭ変動に揃える。遅延された入力信号は移相器９１６からＡＤ８３０２  ８２０の入力ログアンプ９１４に提供される。ログアンプ９１４は、遅延された入力信号の電力を、入力信号が非定値振幅包絡線を有するときに生じる全ての電流脈動を含む電流Ｉlog1に変換する。
【００３７】
減衰器９２２は、結合された出力信号を３０ｄＢだけ減衰させ、入力信号のＡＤ８３０２  ９２０への平衡化を促進する。減衰した出力信号は、減衰器９２２から提供され、ＡＤ８３０２  ９２０のログアンプ９０４に出力される。ログアンプ９０４は、減衰された出力信号の電力を、入力信号が非定値振幅包絡線を有するときに生じる全ての電流脈動を有する電流Ｉlog2へ変換する。
【００３８】
電力増幅器９０２の所望の利得に対応する傾斜制御電圧がＡＤ８３０２  ９２０のＶSET入力に印加される。この電圧は、ＡＤ８３０２  ９２０の内部の電圧から電流への変換器９２４により電流ＩSETに変換される。この電流ＩSETは、入力ログアンプ９１４及び９０４からの電流Ｉlog1及びＩlog2と接続点９３０で加算される。接続点９３０はＩSET及びＩlog1を吸込み、電流Ｉlog2を湧き出す。これにより、Ｉlog1及びＩSET（すなわちＡＭ変動と傾斜制御信号）の和からのＩlog2（すなわち出力電力信号）の減算が同時に行なわれる。これにより、ＡＭ変動が相殺される。接続点９３０での全ての残りの誤差電流はフィルタキャパシタ９０７を充電又は放電し、このことにより、電圧緩衝器９２８により電力増幅器９０２に出力される電圧Ｖapc信号を増加又は減少させる。この実施の形態は、ＶSET信号の電圧に比例する電力増幅器９０２のｄＢ利得を生じる。
【００３９】
図１０は別の実施の形態を示し、この実施の形態は、利得制御の替わりに電力制御がなされる離散ログアンプを用いている。この実施の形態は、検波入力信号の交流結合を有さない電力制御手段を提供する。
【００４０】
利得制御だけの回路に対して、電力増幅器に対する入力電力が十分に制御されていれば、出力電力もまた十分に制御される。しかし、入力電力が変動すると、出力電力もまた変動する。したがって、電力制御を行なうと都合がいい。
【００４１】
出力電力制御は、出力ログアンプ１００４からの信号を取り出した後、加算接続点１０３０に印加し、演算増幅器（オペアンプ）１０２５を用いて傾斜制御信号ＶSETと比較することによりなされる。システムが平衡状態にあるとき、増幅器１０２５の出力は、出力ログアンプ１００４からの電圧から入力ログアンプ１０１４からの電圧を引いた電圧に等しい。入力ログアンプ１０１４の出力が変化すると、増幅器１０２５の出力が変化するが（利得設定点の変化）、出力ログアンプ１００４からの電圧は同じままである。それにより、出力電力が一定に保たれる。
【００４２】
出力ログアンプ１００４から増幅器１０２５に供給される信号の濾波によっては、出力信号の包絡線中の高速の変化に演算増幅器が応答するのを防ぐ必要がある。したがって、ローパスフィルタ１０２６がこの信号を増幅器１０２５に入力する前に濾波する。フィルタ１０２６は、検波器１００４から演算増幅器１０２５への信号に遅延を導入する。この遅延は増幅器の利得を設定するための回路の初期応答を引き起こす。ローパスフィルタ１０２６と演算増幅器１０２５とにより形成される第２の制御ループは、フィルタ１０２６の帯域幅に比例する遅延の後、優位となり、出力電力レベルを補正する。フィルタ１０２６は、ＡＭ信号が何等存在しないときには、電力制御の応答を高速化するために、立ち上がりの間使用禁止となり、バースト伝送の間使用可能とされる。したがって、この実施例においては、加算接合部は、演算増幅器１０２５、加算接続点１０３０、ローパスフィルタ１０２６及び誤差増幅器／積分器１０２８とから構成される。
【００４３】
本発明の別の実施の形態においては、入力復調検波器は、ＡＭ変動を表す信号をベースバンド信号から直接取得することにより、取り除かれる。この実施の形態に係る電力検出器／制御器１１００が図１１に示される。信号のＡＭ変動は、無線ハンドセット中のベースバンド処理装置により提供され、加算接続点１１１０で傾斜制御信号と加算される。あるいは、電力検出器／制御器１１００は、図６の電力制御器／検波器６００と同様に動作する。ベースバンド処理装置からの信号は、出力検波信号と正確に比較するために、適当に調整すべきである。すなわち、出力端に対数検波器が用いられる場合には、ベースバンド処理装置は対数信号を提供すべきであるし、線型検波器が用いられる場合には、ベースバンド処理装置は、適当に位取りされた線型信号を提供すべきである。
【００４４】
本発明は数個の望ましい実施の形態に関して示され、説明されたが、本発明の精神と範囲とから逸脱することなく、実施の形態の形状や細部に種々の変更、省略、付け加えをなしてもよい。ある種の信号は電圧として説明され、他の信号は電流として説明されたが、当業者は、これらの説明された信号は、どちらも取り得て、説明された形状に限定されないことを理解できよう。
【図面の簡単な説明】
【００４５】
【図１】従来のＧＳＭシステムのための電力測定及び制御システムを示す。
【図２】復調ログアンプの出力を印加されたＧＳＭ信号と共に示す。
【図３】復調ログアンプの出力を印加されたＥＤＧＥ信号と共に示す。
【図４】本発明に係る電力検出器／制御器を概念的に示す。
【図５】本発明に係る電力検出器／制御器の一実施形態を示す。
【図６】本発明に係る電力検出器／制御器の別の実施の形態を示す。
【図７】本発明に係る電力検出器／制御器の別の実施の形態を示す。
【図８ａ】図７に示す実施の形態の、ＡＤ８３１５ログ増幅器／制御器を用いた実施例を示す。
【図８ｂ】ＡＤ８３１５ログ増幅器／制御器の回路図を示す。
【図９】図７に示す実施の形態の、ＡＤ８３０２を用いた実施例を示す。
【図１０】離散ログアンプを用いた別の実施例を示す。
【図１１】包絡線のＡＭ変動がベースバンド処理装置から提供され、ベースバンド処理装置が入力復調検波器を不要とする、本発明の一実施形態を示す。
【図１】
2005516465.tif 000003
【図２】
2005516465.tif 000004
【図３】
2005516465.tif 000005
【図４】
2005516465.tif 000006
【図５】
2005516465.tif 000007
【図６】
2005516465.tif 000008
【図７】
2005516465.tif 000009
【図８ａ】
2005516465.tif 000010
【図８ｂ】
2005516465.tif 000011
【図９】
2005516465.tif 000012
【図１０】
2005516465.tif 000013
【図１１】
2005516465.tif 000014
【国際調査報告】
2005516465.tif 000015
2005516465.tif 000016